(57)【要約】【課題】比較的安価なコストでバタつきの少ない折板製の屋根の支持構造を提供する。【解決手段】複数本の鉄骨２ａ、２ｂの端部どうしを突合せ、添え板７を配置して連結具８により連結して構成される梁２と、梁２のうち添え板７の配置箇所を除く上面に載置支持される嵩上げ部材３と、添え板７の上方に配置支持される保持部材４と、保持部材４と嵩上げ部材３との上面に配置支持されるタイトフレーム５を備えて、折板製の屋根１を支持する屋根の支持構造であって、保持部材４が、隣接する嵩上げ部材３の間に亘る金属製の平板材で、その両端部が隣接する嵩上げ部材３に溶接され、保持部材４が、その長手方向の中間部に下方へ突出する金属製の脚部材６を備え、脚部材６が添え板７に溶接される。【選択図】図１
2020026653.tif 000002
【特許請求の範囲】
【請求項１】
複数本の鉄骨の端部どうしを突合せ状に配置し、その突合せ箇所に添え板を配置して連結具により連結して構成される梁と、その梁のうち前記添え板の配置箇所を除く上面に載置支持される嵩上げ部材と、前記添え板の上方に配置支持される保持部材と、その保持部材と前記嵩上げ部材との上面に配置支持されるタイトフレームを備えて、そのタイトフレームの上面に載置される折板製の屋根を支持する屋根の支持構造であって、
前記保持部材が、隣接する前記嵩上げ部材の間に亘る金属製の平板材で構成されて、その両端部が隣接する前記嵩上げ部材に溶接され、かつ、前記保持部材が、その長手方向の中間部に下方へ突出する金属製の脚部材を備え、その脚部材が前記添え板に溶接される屋根の支持構造。
【請求項２】
前記脚部材が、前記保持部材の長手方向に直交する幅方向へ延出する平板材で構成される請求項１に記載の屋根の支持構造。
【請求項３】
前記添え板が、平面視において、前記梁のほぼ全幅に亘って配置され、前記保持部材が、前記添え板よりも幅狭に構成される請求項２に記載の屋根の支持構造。
【請求項４】
前記脚部材の少なくとも一方の端部が、平面視において、前記保持部材より外側に突出する請求項３に記載の屋根の支持構造。
【請求項５】
前記脚部材が、前記梁を構成する鉄骨の突合せ箇所に対応してひとつだけ設けられる請求項１〜４のいずれか１項に記載の屋根の支持構造。
【発明の詳細な説明】
【技術分野】
【０００１】
本発明は、複数本の鉄骨の端部どうしを突合せ状に配置し、その突合せ箇所に添え板（スプライスプレート）を配置して連結具により連結して構成される梁と、その梁のうち前記添え板の配置箇所を除く上面に載置支持される嵩上げ部材と、前記添え板の上方に配置支持される保持部材と、その保持部材と前記嵩上げ部材との上面に配置支持されるタイトフレームを備えて、そのタイトフレームの上面に載置される折板製の屋根を支持する屋根の支持構造に関する。
【背景技術】
【０００２】
このような屋根の支持構造では、複数本の鉄骨の端部どうしを突合せ状に配置し、その突合せ箇所に添え板を配置してボルト・ナットなどの連結具により連結して梁を構成するため、添え板の配置箇所においては、その添え板およびボルトの頭またはナットが梁の上面から上方へ突出し、梁の上面にタイトフレームを直接載置して支持することが困難となる。
そこで、従来、添え板の配置箇所を除く梁の上面に溝形鋼で構成した嵩上げ部材を配設し、添え板の配置箇所に添え板およびボルトの頭またはナットと干渉しない保持部材、つまり、溝形鋼の側面のうち添え板と干渉する部分を切欠いて構成した保持部材を配設して、その保持部材と嵩上げ部材との上面にタイトフレームを載置して折板製の屋根を支持するものが知られている（例えば、特許文献１参照）。
【先行技術文献】
【特許文献】
【０００３】
【特許文献１】特開平３−１６６４５３号公報（特に第６図ａ〜ｄ）
【発明の概要】
【発明が解決しようとする課題】
【０００４】
しかしながら、上記特許文献に記載の従来技術では、保持部材が、側面を切欠いた溝形鋼の残存上面部位、つまり、実質的に金属製の細長い平板材により構成されたと同じことになるので、例えば、屋根に風圧が作用すると、隣接する嵩上げ部材間に亘る比較的長い保持部材が、上下方向へ繰り返し大きく湾曲移動し、いわゆるバタつきを生じ、折板製の屋根全体が風圧によって大きなバタつきを生じるという問題がある。
ちなみに、保持部材のバタつきを阻止するには、例えば、保持部材とほぼ同じ長さを有する細長い平鋼を保持部材に沿う状態で保持部材と添え板との間に配置し、その平鋼の上端部を保持部材の下面に下端部を添え板の上面に溶接することが考えられる。
しかし、その場合には、比較的長い平鋼が必要となり、かつ、溶接量も多くなって、コストが高くなるという欠点がある。
【０００５】
本発明は、このような問題点に着目したもので、その目的は、比較的安価なコストでバタつきの少ない折板製の屋根の支持構造を提供することにある。
【課題を解決するための手段】
【０００６】
本発明の第１特徴構成は、複数本の鉄骨の端部どうしを突合せ状に配置し、その突合せ箇所に添え板を配置して連結具により連結して構成される梁と、その梁のうち前記添え板の配置箇所を除く上面に載置支持される嵩上げ部材と、前記添え板の上方に配置支持される保持部材と、その保持部材と前記嵩上げ部材との上面に配置支持されるタイトフレームを備えて、そのタイトフレームの上面に載置される折板製の屋根を支持する屋根の支持構造であって、前記保持部材が、隣接する前記嵩上げ部材の間に亘る金属製の平板材で構成されて、その両端部が隣接する前記嵩上げ部材に溶接され、かつ、前記保持部材が、その長手方向の中間部に下方へ突出する金属製の脚部材を備え、その脚部材が前記添え板に溶接される点にある。
【０００７】
本構成によれば、添え板の上方に配置される保持部材が、隣接する嵩上げ部材の上面間に亘る金属製の平板材で構成され、その両端部が隣接する嵩上げ部材に溶接されて支持されるので、保持部材を比較的安価な材料で簡単に製作することができ、コスト削減が可能となる。そして、その保持部材が、長手方向の中間部に下方へ突出する金属製の脚部材を備え、その脚部材が添え板に溶接されるので、比較的少ない溶接量で脚部材を添え板に溶接することができ、脚部材がひとつだけであれば、保持部材を長手方向に実質的に２分割し、脚部材が２つであれば、実質的に３分割することになる。
したがって、例えば、屋根に風圧が作用した場合、隣接する嵩上げ部材間に亘る比較的長い保持部材が、実質的に２分割または３分割された状態で上下方向へ湾曲し、上下方向へのたわみ量が減少することになり、保持部材のバタつき、つまり、折板製の屋根全体のバタつきを極力抑えることができる。その結果、バタつきの少ない折板製の屋根の支持構造を比較的安価なコストで提供することが可能となる。
【０００８】
本発明の第２特徴構成は、前記脚部材が、前記保持部材の長手方向に直交する幅方向へ延出する平板材で構成される点にある。
【０００９】
本構成によれば、脚部材が、保持部材の長手方向に直交する幅方向へ延出する平板材で構成されるので、保持部材のバタつきが効果的に抑制される。
すなわち、脚部材が棒材であれば、保持部材を点で保持して分割することになり、風圧が作用した際、保持部材がねじれてバタつきを助長する可能性がある。しかし、脚部材が保持部材の幅方向へ延出する平板材であるため、保持部材を線で保持して分割することになり、保持部材のねじれを抑制してバタつきをより効果的に抑制することができる。
【００１０】
本発明の第３特徴構成は、前記添え板が、平面視において、前記梁のほぼ全幅に亘って配置され、前記保持部材が、前記添え板よりも幅狭に構成される点にある。
【００１１】
本構成によれば、添え板が、平面視において、梁のほぼ全幅に亘って配置されるので、梁を構成する鉄骨の端部どうしを連結するに際し、連結具を使用して確実に連結することができる。そして、保持部材が、その添え板よりも幅狭に構成されるので、保持部材の更なるコスト削減が可能となる。
【００１２】
本発明の第４特徴構成は、前記脚部材の少なくとも一方の端部が、平面視において、前記保持部材より外側に突出する点にある。
【００１３】
本構成によれば、脚部材の少なくとも一方の端部が、平面視において、保持部材より外側に突出するので、脚部材を添え板に溶接するに際し、保持部材から突出する箇所のみを添え板に溶接することも可能で、添え板への脚部材の溶接作業が容易となって作業性の向上を図ることができる。
なお、脚部材の両端部が、それぞれ保持部材より外側に突出する場合には、保持部材から突出する脚部材の両端部を添え板に溶接することで、添え板に対する脚部材の接続が一層強固となる。
【００１４】
本発明の第５特徴構成は、前記脚部材が、前記梁を構成する鉄骨の突合せ箇所に対応してひとつだけ設けられる点にある。
【００１５】
本構成によれば、脚部材が、鉄骨の突合せ箇所に対応してひとつだけ設けられるので、脚部材が鉄骨を連結するための連結具と干渉するのを確実に回避し、かつ、脚部材のコスト削減と溶接量の減少を図りながら、バタつきの発生を抑制することができる。
特に、鉄骨の突合せ箇所では、その突合せ箇所を挟んで保持部材の長手方向において隣接する連結具どうしの間隔を比較的広くすることが多く、その場合には、添え板への脚部材の溶接作業が更に容易となる。
【図面の簡単な説明】
【００１６】
【図１】屋根の支持構造を示す斜視図
【図２】屋根の支持構造の要部を示す正面図
【図３】屋根の支持構造の要部を示す平面図
【発明を実施するための形態】
【００１７】
本発明による屋根の支持構造の実施形態を図面に基づいて説明する。
本発明の屋根の支持構造は、図１に示すように、折板製の屋根１を支持するもので、図２にも示すように、複数本の鉄骨２ａ、２ｂからなる梁２と、梁２の上面に載置支持される嵩上げ部材３と、嵩上げ部材３に溶接されて支持される保持部材４と、その保持部材４と嵩上げ部材３との上面に載置支持されて屋根１を支持するタイトフレーム５などを備えている。
梁２は、例えば、Ｈ形鋼からなる複数本の鉄骨２ａ、２ｂが、その端部どうしを突合せ状に配置し、その突合せ箇所において上下のフランジとウェブに亘ってそれぞれ添え板７を沿わせて配置して連結具としての複数本のボルト・ナット８により連結して構成される。
【００１８】
嵩上げ部材３は、例えば、溝形鋼で構成され、梁２の上面において、添え板７の配置箇所を除く部位に載置され、梁２に溶接されて支持される。保持部材４は、金属製の細長い平板材で構成され、梁２の上方において、梁２の長手方向に沿う状態で、鉄骨２ａ、２ｂの突合せ箇所を挟んで隣接する嵩上げ部材３の間に亘って添え板７の上方に配置される。保持部材４の両端部は、その隣接する嵩上げ部材３の下面に溶接されて支持され、保持部材４の長手方向Ａ（図３参照）のほぼ中央の下面には脚部材６が溶接されている。
脚部材６は、金属製の平板材で構成され、保持部材４の長手方向Ａに直交する幅方向Ｂ（図３参照）へ延出し、鉄骨２ａ、２ｂの突合せ箇所に対応してひとつだけ設けられる。その脚部材６の下端部は、鉄骨２ａ、２ｂの突合せ箇所の上方に沿って位置する状態で、つまり、ボルト・ナット８と干渉しない状態で添え板７の上面に溶接される。
【００１９】
梁２の上面に配置の添え板７は、図３に示すように、平面視において、長辺が梁２の長手方向に沿い、短辺が梁２の幅方向に沿う長方形で、梁２のほぼ全幅に亘って配置される。それに対し、嵩上げ部材３は、梁２や添え板７よりも幅狭で、梁２の幅方向のほぼ中央に配置される。更に、保持部材４は、その嵩上げ部材３よりも幅狭に構成されて、添え板７の幅方向のほぼ中央に配置される。
そして、脚部材６の両端部が、平面視において、保持部材４より外側に突出する状態に配置され、その脚部材６のうちの保持部材４から外側へ突出する部位のみが、あるいは、外側へ突出する部位を含んで保持部材４の下方に位置する部位が、添え板７の上面に溶接される。
【００２０】
このようにして、保持部材４の長手方向Ａのほぼ中央から下方へ突設される脚部材６が、添え板７の上面に溶接されるので、梁２に沿って細長い保持部材４は、その長手方向Ａに実質的に２等分されることになる。
したがって、屋根１に風圧が作用した場合、細長い保持部材４は、その長手方向Ａに実質的に２等分された状態で上下方向へ湾曲することになり、上下方向へのたわみ量が半減して保持部材４のバタつきが抑制され、その結果、最終的には、折板製の屋根１のバタつきが抑制される。
【００２１】
〔別実施形態〕
（１）先の実施形態では、梁２の上面に配置の添え板７が、平面視において、梁２のほぼ全幅に亘って配置され、保持部材４が、その添え板７よりも幅狭に構成されて、脚部材６の両端部が、保持部材４より外側に突出する例を示したが、脚部材６の一方の端部のみが、保持部材４より外側に突出するように構成することもできる。
また、梁２の上面に配置の添え板７は、梁２の幅よりも幅狭に構成することも可能であり、更に、添え板７と保持部材４を同幅に構成することも可能である。いずれにせよ、脚部材６の両端部が保持部材４から外側へ突出しない場合には、保持部材４の下方に位置する脚部材６の部位を添え板７の上面に溶接することになる。
【００２２】
（２）先の実施形態では、金属製の平板材からなる脚部材６が、鉄骨２ａ、２ｂの突合せ箇所に対応するように、保持部材４の長手方向Ａのほぼ中央に設けられた例を示したが、脚部材６は、必ずしも鉄骨２ａ、２ｂの突合せ箇所に対応して設ける必要はない。つまり、ボルト・ナット８と干渉しない位置であれば、保持部材４の長手方向Ａの中間部に適宜選択して設けることができ、その場合、細長い保持部材４は、屋根１に風圧が作用した際、その長手方向Ａに２分割された状態で上下方向へ湾曲することになる。
また、脚部材６は、必ずしも金属製の平板材で構成する必要はなく、例えば、金属製の棒材で構成することも可能であり、更に、保持部材４に対して必ずしもひとつだけに限らず、例えば、保持部材４の長手方向Ａに等間隔などで２つ以上設けて実施することも可能である。
【符号の説明】
【００２３】
１          折板製の屋根
２          梁
２ａ、２ｂ  鉄骨
３          嵩上げ部材
４          保持部材
５          タイトフレーム
６          脚部材
７          添え板
８          連結具
Ａ          保持部材の長手方向
Ｂ          保持部材の幅方向
【図１】
2020026653.tif 000003
【図２】
2020026653.tif 000004
【図３】
2020026653.tif 000005